(57)【要約】【課題】  釣り用リールにおいて、ジギングを容易に行えるようにするとともに、仕掛けの水深を把握できるようにする。【解決手段】  釣り用リール１００は、釣り用リール１００の外部に設けられた釣り情報表示装置６０の情報通信部６６に仕掛けの水深情報を無線通信により出力可能な情報通信部４４を有している。釣り情報表示装置６０は、情報通信部４４から得られた仕掛けの水深情報と、魚群探知機９０の情報通信部９１から得られた魚探情報とを表示する表示部６５を有している。【選択図】      図４
2005218312.tif 000002
【特許請求の範囲】
【請求項１】
仕掛けの水深情報を表示可能な表示部を有していない釣り用リールであって、
リール本体と、
前記リール本体に回転自在に装着された糸巻き用のスプールと、
前記スプールに巻き付けられる釣り糸に連結された仕掛けの水深を計測可能な水深計測手段と、
前記水深計測手段により計測された前記仕掛けの水深情報を外部に無線通信により出力可能な第１無線送信手段と、
を備えた釣り用リール。
【請求項２】
前記リール本体に設けられ、前記第１無線送信手段に給電する第１電力供給手段をさらに備えている、請求項１に記載の釣り用リール。
【請求項３】
前記リール本体に設けられ、前記第１無線送信手段を内部に収納可能な合成樹脂製のケース部材をさらに備えている、請求項１又は２に記載の釣り用リール。
【請求項４】
前記ケース部材は、前記リール本体に対して着脱可能に装着されている、請求項３に記載の釣り用リール。
【請求項５】
前記仕掛けの水深情報は、前記スプールの回転数を計数して得られた数値情報である、請求項１から４のいずれかに記載の釣り用リール。
【請求項６】
前記仕掛けの水深情報は、前記スプールの回転数と前記スプールの回転数に対応したマップデータとを用いる水深演算手段の演算により得られた数値情報である、請求項１から４のいずれかに記載の釣り用リール。
【請求項７】
前記水深演算手段は、前記リール本体の内部に設けられている、請求項６に記載の釣り用リール。
【請求項８】
請求項１から請求項７のいずれかに記載された前記釣り用リールの外部に設けられ、前記仕掛けの水深情報を表示する釣り情報表示装置であって、
本体部材と、
前記本体部材に設けられた表示部と、
前記第１無線送信手段から送信された前記仕掛けの水深情報を無線通信により入力可能な第１無線受信手段と、
前記第１無線受信手段により入力された前記仕掛けの水深情報を前記表示部に表示可能な第１表示手段と、
を備えた釣り情報表示装置。
【請求項９】
前記本体部材の外部に設けられた情報収集装置から得られる各種の情報を前記表示部に表示可能な第２表示手段をさらに備えている、請求項８に記載の釣り情報表示装置。
【請求項１０】
前記情報収集装置は、魚群に関する情報を収集する魚群探知機である、請求項９に記載の釣り情報表示装置。
【請求項１１】
前記情報収集装置は、前記各種の情報を無線通信により外部に出力可能な第２無線送信手段をさらに有し、
前記第２無線送信手段から送信された前記各種の情報を無線通信により入力可能な第２無線受信手段をさらに備えている、請求項９又は１０に記載の釣り情報表示装置。
【請求項１２】
前記各種の情報を前記本体部材の内部に保持可能な情報保持手段をさらに備えている、請求項８から１１のいずれかに記載の釣り情報表示装置。
【請求項１３】
前記各種の情報を前記本体部材の外部から入力可能な情報入力手段をさらに備えている、請求項８から１２のいずれかに記載の釣り情報表示装置。
【請求項１４】
前記第１無線受信手段に給電する第２電力供給手段をさらに備えている、請求項８から１３のいずれかに記載の釣り情報表示装置。
【請求項１５】
前記第１無線受信手段は、前記本体部材の内部に設けられている、請求項８から１４のいずれかに記載の釣り情報表示装置。
【請求項１６】
前記第１無線受信手段は、前記本体部材の外部に設けられている、請求項８から１４のいずれかに記載の釣り情報表示装置。
【請求項１７】
前記各種の情報を通信及び電力を供給するためのコードをさらに備え、
前記第１無線受信手段及び前記第２電力供給手段は、前記コードに接続されている、請求項１６に記載の釣り情報表示装置。
【請求項１８】
前記水深演算手段は、前記本体部材の内部に設けられている、請求項８から１７のいずれかに記載の釣り情報表示装置。
【請求項１９】
前記水深演算手段は、前記本体部材の外部に設けられ、前記本体部材と前記第１無線受信手段との間の前記コードに接続されている、請求項１７に記載の釣り情報表示装置。
【請求項２０】
請求項１から請求項１９のいずれかに記載された前記仕掛けの水深情報を表示する釣り情報表示システムであって、
請求項１から請求項７のいずれかに記載された前記釣り用リールと、
請求項８から請求項１９のいずれかに記載された前記釣り情報表示装置と、
を備えた釣り情報表示システム。
【請求項２１】
前記釣り情報表示装置は、各種の指令情報を無線通信により外部に出力可能な第３無線送信手段をさらに有し、
前記釣り用リールは、前記第３無線送信手段から送信された前記各種の指令情報を無線通信により入力可能な第３無線受信手段をさらに有している、請求項２０に記載の釣り情報表示システム。
【請求項２２】
前記釣り用リールは、前記第３無線受信手段により入力された前記各種の指令情報に応じて、前記仕掛けの水深情報が前記第１無線送信手段により外部に出力される、請求項２１に記載の釣り情報表示システム。
【発明の詳細な説明】
【技術分野】
【０００１】
本発明は、釣り用リール、特に、仕掛けの水深情報を表示可能な表示部を有していない釣り用リールに関する。
【背景技術】
【０００２】
一般に、釣り用リールは、リール本体と、リール本体に回転自在に装着されたスプールと、スプールを回転させるためのハンドルとを備えている。スプールはリール本体に支持されるスプール軸に装着され、ハンドルはスプール軸と平行に配置されたハンドル軸に回転不能に装着されている。
【０００３】
このような釣り用リールでは、仕掛けの水深を計測するための水深計測手段がリール本体に装着されたカウンタリールが知られている（たとえば、特許文献１参照）。このようなカウンタリールには、仕掛けの水深を表示可能な液晶ディスプレイからなる表示部がリール本体の上面に設けられている。
【０００４】
一方、ジギング用の小型の釣り用リールでは、カウンタリールのような表示部が設けられていないものが多く知られている（たとえば、特許文献２参照）。このようなジギング用の釣り用リールには、リール本体に表示部が設けられていないので、リール全体を小型化することができ、ジギングを容易に行うことができる。
【０００５】
この種のジギング用の釣り用リールは、リール本体に表示部が設けられていないので、仕掛けの水深を把握することができない。そこで、表示部をリールの外部に設け、表示部とリールとをコードで接続したものが知られている（たとえば、特許文献３参照）。このような釣り用リールでは、表示部がリールの外部に設けられているので、仕掛けの水深を把握できる。
【特許文献１】特開２００３−２８４４７０号公報
【特許文献２】特開２００３−２３５４１２号公報
【特許文献３】特開２００２−２７８７８号公報
【発明の開示】
【発明が解決しようとする課題】
【０００６】
前記従来の表示部がリールの外部に設けられた釣り用リールでは、表示部とリールとがコードにより接続されているので、ジギングを行う際にコードが邪魔になることがある。このように、コードが邪魔になると、細かいしゃくり動作等のジギングをうまく行えないおそれが生じる。
【０００７】
本発明の課題は、釣り用リールにおいて、ジギングを容易に行えるようにするとともに、仕掛けの水深を把握できるようにすることにある。
【課題を解決するための手段】
【０００８】
発明１に係る釣り用リールは、仕掛けの水深情報を表示可能な表示部を有していない釣り用リールであって、リール本体と、リール本体に回転自在に装着された糸巻き用のスプールと、スプールに巻き付けられる釣り糸に連結された仕掛けの水深を計測可能な水深計測手段と、水深計測手段により計測された仕掛けの水深情報を外部に無線通信により出力可能な第１無線送信手段とを備えている。
【０００９】
この釣り用リールでは、外部に仕掛けの水深情報を無線通信により出力可能な第１無線送信手段を有している。第１無線送信手段は、たとえばＵＷＢ（超広帯域無線）やＢｌｕｅｔｏｏｔｈ等の無線方式を用いた船内で利用可能な比較的狭い範囲で送受信を行うものである。ここでは、たとえば外部に出力された仕掛けの水深情報を表示可能な釣り情報表示装置をリールと別に設けることにより、リールの大きさを小さく維持しながら、仕掛けの水深を把握することができる。さらに、リールと外部の釣り情報表示装置と無線通信により接続することにより、従来のようにコードを設ける必要がなくなるので、ジギングを容易に行える。
【００１０】
発明２に係る釣り用リールは、発明１の釣り用リールにおいて、リール本体に設けられ、第１無線送信手段に給電する第１電力供給手段をさらに備えている。この場合、リール本体の内部または外部に設けられたボタン電池や蓄電池等のバッテリや、バッテリに接続されるコードや、リール本体の外部に設けられた太陽電池等の第１電力供給手段により、無線通信を行うための電力を供給できる。
【００１１】
発明３に係る釣り用リールは、発明１又は２の釣り用リールにおいて、リール本体に設けられ、第１無線送信手段を内部に収納可能な合成樹脂製のケース部材をさらに備えている。この場合、たとえば第１無線送信手段を構成するアンテナを含むユニット全体を合成樹脂製のケース部材で覆うことにより、無線通信を行うときに干渉するのを防ぐことができる。
【００１２】
発明４に係る釣り用リールは、発明１から３のいずれかの釣り用リールにおいて、ケース部材は、リール本体に対して着脱可能に装着されている。この場合、ケース部材とともに第１無線送信手段をリール本体に対して着脱可能であるので、第１無線送信手段を使用しないときはケース部材ごと取り外すことができる。
【００１３】
発明５に係る釣り用リールは、発明１から４のいずれかの釣り用リールにおいて、仕掛けの水深情報は、スプールの回転数を計数して得られた数値情報である。この場合、たとえばスプールカウンタの計数値をそのまま仕掛けの水深情報として外部に無線通信できるので、仕掛けの水深情報を容易に得ることができる。
【００１４】
発明６に係る釣り用リールは、発明１から４のいずれかの釣り用リールにおいて、仕掛けの水深情報は、スプールの回転数とスプールの回転数に対応したマップデータとを用いる水深演算手段の演算により得られた数値情報である。この場合、水深演算手段のマップデータによりスプールの回転数を仕掛けの水深情報に変換するので、比較的誤差の少ない高精度な仕掛けの水深情報を得ることができる。
【００１５】
発明７に係る釣り用リールは、発明６の釣り用リールにおいて、水深演算手段は、リール本体の内部に設けられている。この場合、たとえば外部に出力された仕掛けの水深情報を表示可能な釣り情報表示装置をリールと別に設けるとき、この釣り情報表示装置に水深演算手段を設ける必要がなくなるので、水深演算手段を有さない従来の釣り情報表示装置を接続することができる。
【００１６】
発明８に係る釣り情報表示装置は、発明１から発明７のいずれかに記載された釣り用リールの外部に設けられ、仕掛けの水深情報を表示する釣り情報表示装置であって、本体部材と、本体部材に設けられた表示部と、第１無線送信手段から送信された仕掛けの水深情報を無線通信により入力可能な第１無線受信手段と、第１無線受信手段により入力された仕掛けの水深情報を前記表示部に表示可能な第１表示手段とを備えている。
【００１７】
この釣り情報表示装置では、釣り用リールの第１無線送信手段から送信された仕掛けの水深情報を無線通信により入力可能な第１無線受信手段を有している。ここでは、釣り情報表示装置をリールと別に設けることにより、リールの大きさを小さく維持しながら、仕掛けの水深を把握することができる。さらに、リールと外部の表示装置と無線通信により接続することにより、従来のようにリールと外部の表示装置との間にコードを設ける必要がなくなるので、ジギングを容易に行える。
【００１８】
発明９に係る釣り情報表示装置は、発明８の釣り情報表示装置において、本体部材の外部に設けられた情報収集装置から得られる各種の情報を表示部に表示可能な第２表示手段をさらに備えている。この場合、釣り情報表示装置は、仕掛けの水深情報だけでなくリールから離反した情報収集装置からの各種の情報を迅速に得ることができる。
【００１９】
発明１０に係る釣り情報表示装置は、発明９の釣り情報表示装置において、情報収集装置は、魚群に関する情報を収集する魚群探知機である。この場合、たとえば仕掛けの水深情報と魚群情報とを重畳させて各種の情報を一元的に表示できる。
【００２０】
発明１１に係る釣り情報表示装置は、発明９又は１０の釣り情報表示装置において、情報収集装置は、各種の情報を無線通信により外部に出力可能な第２無線送信手段をさらに有し、第２無線送信手段から送信された各種の情報を無線通信により入力可能な第２無線受信手段をさらに備えている。この場合、リールと釣り情報表示装置との間だけでなく、情報収集装置と釣り情報表示装置との間を無線通信によって接続することにより、釣り情報表示装置を任意の場所で使用できる。
【００２１】
発明１２に係る釣り情報表示装置は、発明８から１１のいずれかの釣り情報表示装置において、各種の情報を本体部材の内部に保持可能な情報保持手段をさらに備えている。この場合、各種の情報を記憶する情報保持手段を設けることにより、たとえば過去の情報を参照したり、履歴表示を行うことができる。
【００２２】
発明１３に係る釣り情報表示装置は、発明８から１２のいずれかの釣り情報表示装置において、各種の情報を本体部材の外部から入力可能な情報入力手段をさらに備えている。この場合、各種の情報を入力する情報入力手段を設けることにより、たとえば各種の情報を修正、追加したり、細かい設定を行うことができる。
【００２３】
発明１４に係る釣り情報表示装置は、発明８から１３のいずれかの釣り情報表示装置において、第１無線受信手段に給電する第２電力供給手段をさらに備えている。この場合、本体部材の内部または外部に設けられた蓄電池等のバッテリや、バッテリに接続されるコードや、本体部材の外部に設けられた太陽電池等の第２電力供給手段により、無線通信を行うための電力を供給できる。
【００２４】
発明１５に係る釣り情報表示装置は、発明８から１４のいずれかの釣り情報表示装置において、第１無線受信手段は、本体部材の内部に設けられている。この場合、第１無線受信手段を本体部材に内蔵することにより、全体をコンパクト化できる。
【００２５】
発明１６に係る釣り情報表示装置は、発明８から１４のいずれかの釣り情報表示装置において、第１無線受信手段は、本体部材の外部に設けられている。この場合、たとえば無線機能を有さない釣り情報表示装置にオプションとして無線機能を後から付加できる。
【００２６】
発明１７に係る釣り情報表示装置は、発明１６の釣り情報表示装置において、各種の情報を通信及び電力を供給するためのコードをさらに備え、第１無線受信手段及び第２電力供給手段は、コードに接続されている。この場合、無線機能を有さない釣り情報表示装置において、コードの途中に第１無線受信手段を設けることにより、本体部材を大型化することなく無線機能を追加できる。
【００２７】
発明１８に係る釣り情報表示装置は、発明８から１７のいずれかの釣り情報表示装置において、水深演算手段は、本体部材の内部に設けられている。この場合、水深演算手段を釣り情報表示装置側に設けることにより、釣り用リール側の制御構成を簡素化できるので、各種制御構成の消費電力を少なくすることができる。このため、たとえばスプールの回転によって比較的少量の電力を得る構成にしたときでも、第１無線送信手段等の各種の制御構成を駆動できる。
【００２８】
発明１９に係る釣り情報表示装置は、発明１７の釣り情報表示装置において、水深演算手段は、本体部材の外部に設けられ、本体部材と第１無線受信手段との間のコードに接続されている。この場合、釣り用リールのリール本体及び釣り情報表示装置の本体部材の両方に水深演算手段を設ける必要がなくなるので、水深演算手段を有さない従来の釣り情報表示装置を接続することができるとともに、釣り用リール側の制御構成を簡素化できるので、各種制御構成の消費電力を少なくすることができる。
【００２９】
発明２０に係る釣り情報表示システムは、発明１から発明１９のいずれかに記載された仕掛けの水深情報を表示する釣り情報表示システムであって、請求項１から請求項７のいずれかに記載された釣り用リールと、発明８から発明１９のいずれかに記載された釣り情報表示装置とを備えている。
【００３０】
この釣り情報表示システムでは、外部に仕掛けの水深情報を無線通信により出力可能な第１無線送信手段を有する釣り用リールと、第１無線送信手段から送信された仕掛けの水深情報を無線通信により入力可能な第１無線受信手段を有する釣り情報表示装置とを備えている。ここでは、釣り情報表示装置をリールと別に設けることにより、リールの大きさを小さく維持しながら、仕掛けの水深を把握することができる。さらに、リールと外部の表示装置と無線通信により接続することにより、従来のようにリールと外部の表示装置との間にコードを設ける必要がなくなるので、ジギングを容易に行える。
【００３１】
発明２１に係る釣り情報表示システムは、発明２０の釣り情報表示システムにおいて、釣り情報表示装置は、各種の指令情報を無線通信により外部に出力可能な第３無線送信手段をさらに有し、釣り用リールは、第３無線送信手段から送信された各種の指令情報を無線通信により入力可能な第３無線受信手段をさらに有している。この場合、釣り情報表示装置からリール側に無線通信を行うことができるので、たとえば釣り情報表示装置からリールを制御できる。
【００３２】
発明２２に係る釣り情報表示システムは、発明２１の釣り情報表示システムにおいて、釣り用リールは、第３無線受信手段により入力された各種の指令情報に応じて、仕掛けの水深情報が第１無線送信手段により外部に出力される。この場合、たとえば仕掛けの水深情報が必要なときに釣り情報表示装置から各種の指令情報を無線通信することにより、仕掛けの水深情報を任意のタイミングで得ることができる。
【発明の効果】
【００３３】
本発明によれば、釣り用リールにおいて、外部に仕掛けの水深情報を無線通信により出力可能な第１無線送信手段を設けることにより、ジギングを容易に行いながら、仕掛けの水深を把握することができる。
【発明を実施するための最良の形態】
【００３４】
本発明の一実施形態を採用した釣り用リール１００は、図１に示すように、ジギング可能な小型かつ丸型の両軸受リールであって、仕掛けの水深情報を表示可能な表示部を有していないタイプのリールであり、リール本体１と、リール本体１の側方に配置されたスプール回転用のハンドル組立体２と、ハンドル組立体２のリール本体１側に配置されたスタードラグ３とを備えている。
【００３５】
リール本体１には、図１に示すように、釣り糸を巻き取りあるいは繰り出すためのスプール１５が回転自在に装着され、竿取付脚４を介して釣竿Ｒに取り付けられている。リール本体１は、図２に示すように、所定の間隔をあけて配置された左右１対の第１側板１０及び第２側板１１と第１側板１０及び第２側板１１を連結する複数の連結部材１２とを有するフレーム５と、フレーム５の両側方に装着された第１側カバー１３及び第２側カバー１４と、第２側カバー１４に装着された機構装着板１６とを有している。機構装着板１６は第２側板１１に接触して配置され、機構装着板１６と第２側カバー１４との間には、各種機構を収納するための空間が形成されている。また、リール本体１の第２側カバー１４後方には、図示しないクラッチ機構を操作するためのクラッチレバー４０が揺動自在に装着されている。さらに、リール本体１の第２側カバー１４前方には、図１及び図３に示すように、釣り用リール１００の外部に設けられた後述する釣り情報表示装置６０（図４及び図５参照）に仕掛けの水深情報を無線通信により出力可能な情報通信部４４及び情報通信部４４のオン、オフを行うスイッチ操作部４７が露出するように取り付けられている。
【００３６】
フレーム５はダイカスト成形により得られ、第２側カバー１４は金属薄板をプレス加工して得られる。第１側板１０及び第２側板１１と、第１側カバー１３とは、それぞれ側面から見て円形をなしており、外周面はたとえば旋盤等を用いて機械加工されている。第２側カバー１４及び機構装着板１６は、図２及び図３に示すように、側面から見て円形の一部が径方向に突出した形状である。第２側カバー１４は、ハンドル軸３０（図２参照）の装着部分を中心に軸方向外方にも膨出している。
【００３７】
連結部材１２は、第１側板１０及び第２側板１１の外周に沿う形状で第１側板１０及び第２側板１１と一体成形された板状の部材であり、たとえばリール本体１の後部と下部と上部との３箇所で第１側板１０及び第２側板１１を連結している。この連結部材１２の外周部と第１側板１０及び第２側板１１とは、第１側カバー１３と同様に、一体的に機械加工されている。下部の連結部材１２には竿取付脚４が固定され、後部の連結部材１２には合成樹脂製のサムレスト１７が装着されている。
【００３８】
ハンドル組立体２は、図１から図３に示すように、ハンドル軸３０の先端に回転不能に装着されたハンドルアーム６と、ハンドルアーム６の一端にハンドルアーム６に回転自在に装着されたハンドル把手７と、ハンドル把手７をハンドルアーム６に回転自在に装着するための金属製の把手軸８とを有している。ハンドルアーム６はハンドル軸３０の径方向に延びる平板状の金属製の部材である。ハンドルアーム６は、図２に示すように、ハンドル軸３０の先端に形成された面取り部３０ａに回転不能に係止されており、固定ナット３０ｂによりハンドル軸３０に着脱自在に固定されている。
【００３９】
リール本体１の第２側カバー１４内部には、図４に示すように、情報通信部４４及びスイッチ操作部４７を含む各種インターフェースの制御を行うリール制御部４３が設けられている。第２側カバー１４の内部には、スプールセンサ４１及びスプールカウンタ４２や、情報通信部４４や、リール制御部４３や情報通信部４４に給電するための蓄電池等のバッテリ４６（図３参照）が設けられている。
【００４０】
リール制御部４３は、第２側カバー１４内に配置されたＣＰＵ、ＲＡＭ、ＲＯＭ、Ｉ／Ｏインターフェイス等を含むマイクロコンピュータを含んでいる。リール制御部４３は、制御プログラムに従って情報通信部４４等の各種の制御動作を実行する。リール制御部４３には、図４に示すように、スプール１５の回転方向及び回転数（回転位置データ）を検出するためのスプールセンサ４１及びスプールカウンタ４２と、情報通信部４４と、スイッチ操作部４７と、記憶部４８と、他の入出力部とが接続されている。
【００４１】
スプールセンサ４１は、前後に並べて配置された２つのリードスイッチから構成されている。リードスイッチは、磁石ホイールに装着された２個の磁石を検出する。この検出パルスをスプールカウンタ４２で計数することでリールの回転数を検出できる。また、いずれのリードスイッチが先に検出パルスを発したかによりスプール１５の回転方向を検出できる。
【００４２】
スプールカウンタ４２は、スプールセンサ４１のオン、オフ回数を計数するカウンタであり、この計数値によりスプール回転数に関する回転位置データが得られる。スプールカウンタ４２は、スプール１５が正転（糸繰り出し方向の回転）すると計数値が減少し、逆転すると増加する。
【００４３】
リール制御部４３は、情報通信部４４等の各種の制御を行うとともに、仕掛けの水深情報を演算する水深演算処理を行う。水深演算処理は、スプールカウンタ４２により計数されたスプール１５の回転数と、記憶部４８に保持されたマップデータとを対応させることにより、スプール１５の回転数を仕掛けの水深情報に変換する。このようにして得られた仕掛けの水深情報は、数値情報として、情報通信部４４に送られる。
【００４４】
情報通信部４４は、図４に示すように、釣り用リール１００の外部に設けられた釣り情報表示装置６０の情報通信部６６と各種の情報を送受信可能である。情報通信部４４は、ＵＷＢ（超広帯域無線）等の無線方式を用いた船内で利用可能な比較的狭い範囲で送受信を行う低出力のものである。情報通信部４４は、スプールセンサ４１及びスプールカウンタ４２から得られた仕掛けの水深情報を釣り情報表示装置６０の情報通信部６６に送信可能である。また、情報通信部４４は、釣り情報表示装置６０の情報通信部６６から送信された指令情報を受信可能であり、この指令情報をもとにリール制御部４３を介して各種の情報を送信することができる。情報通信部４４は、図１及び図３に示すように、第２側カバー１４の外部に露出したアンテナを含むユニット全体が合成樹脂製のケース部材によって覆われている。
【００４５】
スイッチ操作部４７は、情報通信部４４のオン、オフを行うための押圧式のトグルスイッチであり、スイッチ操作部４７をオン操作すると無線通信可能な状態となり、スイッチ操作部４７をオフ操作すると無線通信不能な状態となる。スイッチ操作部４７は、第２側カバー１４上部の情報通信部４４の近傍後方に配置されている。また、情報通信部４４が長時間にわたって送受信を行わないときは自動的に電源がオフになる節電モードを有しており、この場合は、スイッチ操作部４７をオフ操作することなく情報通信部４４をオフできる。
【００４６】
記憶部４８は、たとえばＥＥＰＲＯＭ等の不揮発メモリからなり、糸長算出時に使用するマップデータ等の各種のデータが記憶されている。
【００４７】
釣り情報表示装置６０は、図４に示すように、後述する魚群探知機９０から得られる漁場の底の水深や魚群の位置を示す棚位置をエコー表示可能であるとともに、釣り用リール１００から得られる仕掛けの水深情報をエコー表示された底の水深や棚位置とともに重畳して表示するためのものである。
【００４８】
釣り情報表示装置６０は、図５に示すように、略直方体形状の縦型の本体部材６１と、本体部材６１の上部に配置された情報通信部６６と、本体部材６１に装着された液晶ディスプレイからなる表示部６５と、表示部６５の右側に配置された複数の操作ボタンからなるスイッチ操作部６４とを有している。
【００４９】
釣り情報表示装置６０の内部上部には、図５に示すように、情報通信部６６等に給電するための蓄電池等のバッテリ６２が設けられ、釣り情報表示装置６０の内部下部には、各種の情報を音で報知するためのブザー６７が設けられている。また、釣り情報表示装置６０の内部には、図４に示すように、各種の制御を行うモニタ制御部６３が配置されている。
【００５０】
モニタ制御部６３は、本体部材６１内に配置されたＣＰＵ、ＲＡＭ、ＲＯＭ、Ｉ／Ｏインターフェイス等を含むマイクロコンピュータを含んでいる。モニタ制御部６３は、制御プログラムに従って、釣り用リール１００及び魚群探知機９０からの情報を表示部６５に表示させる表示制御や、釣り用リール１００へ各種の指令情報を送信するといった情報通信部６６の各種の制御動作を実行する。また、モニタ制御部６３には、図４に示すように、スイッチ操作部６４の各種のスイッチと、表示部６５と、情報通信部６６と、ブザー６７と、記憶部６８と、他の入出力部とが接続されている。
【００５１】
スイッチ操作部６４は、図５に示すように、各種の設定項目を上下左右にカーソルを移動させるカーソルキーや、表示部６５の表示をオン、オフする電源ボタンや、各種の設定を設定するため決定ボタンや、画面切り換えボタン等の複数のボタンが上下に並べて配置されている。
【００５２】
表示部６５は、図５に示すように、たとえばドットマトリックス方式の液晶ディスプレイであって、各種の情報を大量に表示可能である。表示部６５は、図６に拡大して示すように、画面の右端に水深のスケールＳＣを表示するととにも、スケールＳＣの右横に釣り用リール１００から得られた仕掛けの水深データＤ１を、たとえば仕掛けをシンボル化した針の図形で水深に応じた位置に表示する。また、魚群探知機９０から受信した海底の水深データＤ２及び棚位置の水深データＤ３をエコーデータの画像でスケールＳＣの左側の水深に応じた位置に時系列的に表示する。さらに、海底の水深データＤ２の数値Ｄ２ｎを画面左下に表示するとともに、画面の左上に水深データＤ１の数値Ｄ１ｎも表示する。
【００５３】
情報通信部６６は、図４に示すように、釣り用リール１００の情報通信部４４と、魚群探知機９０の情報通信部９１と各種の情報を無線にて送受信可能である。情報通信部６６は、ＵＷＢ（超広帯域無線）等の無線方式を用いた船内で利用可能な比較的狭い範囲で釣り用リール１００の情報通信部４４及び魚群探知機９０の情報通信部９１と送受信を行う低出力のものである。情報通信部６６は、情報通信部４４側と情報通信部９１側とで通信チャンネルが異なるように設定されており、これにより情報通信部４４と情報通信部９１との衝突を防止している。情報通信部６６は、釣り用リール１００の情報通信部４４から仕掛けの水深データ等の情報を受信し、釣り用リール１００の情報通信部４４へ各種の指令情報を送信する。また、情報通信部６６は、魚群探知機９０の情報通信部９１と通信可能であり、底の水深や魚群の位置等の情報を受信する。情報通信部６６は、図５に示すように、本体部材６１の上部に配置され、金属製の伸縮回転可能なアンテナを有している。
【００５４】
ブザー６７は、図５に示すように、本体部材６１の下部にスピーカを有しており、各種の警報音や操作音を発生させるためのものである。
【００５５】
記憶部６８は、たとえばＥＥＰＲＯＭ等の不揮発メモリからなり、釣り用リール１００や魚群探知機９０から受信した各種のデータを保持可能であり、このためモニタ制御部６３を介して過去の情報を参照したり、履歴表示を行うことができる。
【００５６】
魚群探知機９０は、魚の棚位置、群の状況及び群の移動方向を示す情報を収集する装置であって、図４に示すように、釣り情報表示装置６０の情報通信部６６へ魚群情報を無線通信する情報通信部９１と、情報通信部９１に接続され各種の制御を行う魚探制御部９２とを有している。情報通信部９１は、ＵＷＢ（超広帯域無線）等の無線方式を用いた船内で利用可能な比較的狭い範囲で送受信を行う低出力のものである。なお、魚群探知機９０の他の構成は一般的なものと同一であるので、魚群探知機９０の他の構成の詳細な説明は省略する。
【００５７】
このような釣り情報表示装置６０や魚群探知機９０を用いて釣りを行うには、まず、釣り用リール１００のスイッチ操作部４７をオン操作し、情報通信部４４が無線通信可能な状態にする。釣り情報表示装置６０や魚群探知機９０についても、電源スイッチをオン操作したり、各種の設定操作を行い、情報通信部６６や情報通信部９１が無線通信可能な状態にする。ここで、釣り用リール１００の情報通信部４４と釣り情報表示装置６０の情報通信部６６とが無線接続されると、情報通信部４４及び情報通信部６６は各種の制御指示を待つ待機状態となる。そして、情報通信部６６から情報通信部４４に仕掛けの水深情報を送信するように指令情報（送信要求）を送信すると、情報通信部４４から情報通信部６６に仕掛けの水深情報が送信され、モニタ制御部６３を介して表示部６５に仕掛けの水深情報が表示される。
【００５８】
次に、釣り用リール１００のクラッチレバー４０をオフ操作して、仕掛けを水中に投下する。このとき、スプール１５が糸繰り出し方向に回転し、スプールセンサ４１及びスプールカウンタ４２によりスプール１５の回転数を検出する。そして、リール制御部４３の水深演算処理により、スプール１５の回転数を仕掛けの水深情報に変換する。この仕掛けの水深情報が、情報通信部４４から情報通信部６６に送信され、モニタ制御部６３を介して表示部６５にリアルタイムに表示される。
【００５９】
一方、魚群探知機９０から得られる魚群情報は、情報通信部９１から情報通信部６６に送信され、モニタ制御部６３を介して表示部６５に仕掛けの水深情報とともにグラフィカルに表示される。
【００６０】
仕掛けが底位置に到達すると、クラッチレバー４０をオン操作して、釣人は釣り情報表示装置６０の表示部６５を参照しながら、仕掛けが棚位置に位置するように巻き上げ操作を行う。このような巻き上げ操作を行うときは、魚等を誘うために、釣竿とともにリールをしゃくり上げたり、迅速に巻き上げたりする操作を繰り返し行う、いわゆるジギングを行うことがある。仕掛けが棚位置より上側に位置するまでジギングを行うと、再度クラッチレバー４０をオフ操作して、仕掛けを底位置に投下する。次に、再びクラッチレバー４０をオン操作して、表示部６５で棚位置を参照しながら、棚位置を含む範囲でジギングを繰り返す。そして、魚等がヒットすると、ジギングを停止して水面まで巻き上げ操作を行い、魚等を引き上げる。この一連の操作を行っているときの仕掛けの水深情報は、情報通信部４４から情報通信部６６に逐次送信され、表示部６５に魚群情報とともに表示される。ここでは、表示部６５に仕掛けの水深情報を表示させることにより、仕掛けを確実に棚位置に位置させることができるので、魚等がヒットしやすくなる。
【００６１】
このような釣り用リール１００では、釣り情報表示装置６０の情報通信部６６に仕掛けの水深情報を無線通信により出力可能な情報通信部４４が設けられているので、釣り用リール１００の大きさを小さく維持しながら、仕掛けの水深を把握することができる。さらに、ここでは、従来のように釣り用リール１００と釣り情報表示装置６０との間にコードを設ける必要がなくなるので、ジギングを容易に行うことができる。
【００６２】
〔他の実施形態〕
（ａ）  前記実施形態では、釣り用リール１００の外部に設けられる表示装置として釣り情報表示装置６０を例にあげて説明したが、携帯電話や、携帯型ゲーム機や、ＰＤＡ（個人用携帯情報端末）や、ノート型ＰＣ等の表示部を有する他の端末であってもよい。また、釣り情報表示装置６０は、魚群探知機９０から得られる情報を表示していたが、釣り船に搭載された全地球測位システム（ＧＰＳ）からの情報を表示するようにしてもよい。あるいは、釣り情報表示装置６０は、釣り用リール１００から得られる情報のみを表示するようにしてもよい。また、釣り情報表示装置６０は、複数の釣り用リール１００が無線接続され、複数の釣り用リール１００からそれぞれ得られる各種の情報を表示する構成であってもよい。さらに、釣り用リール１００の外部に設けられる表示装置は、釣り用リール１００と無線通信可能な小型の魚群探知機９０であってもよい。
【００６３】
（ｂ）  前記実施形態では、釣り用リール１００の情報通信部４４に給電する蓄電池等のバッテリ４６が第２側カバー１４の内部に設けられていたが、これに限定されるものではなく、たとえばリール本体１（連結部材１２、第１側カバー１３及び第２側カバー１４の少なくともいずれか）の内部にボタン電池を交換可能に装着したり、リール本体１の外部に太陽電池等を取り付けて給電するようにしてもよい。また、リール本体１の外部に設けられたバッテリからコードを接続して給電するようにしてもよい。さらに、スプール１５の回転によって発電する発電機をさらに設け、この発電機から給電するようにしてもよい。
【００６４】
（ｃ）  前記実施形態では、情報通信部４４は、リール本体１の第２側カバー１４前方に配置されていたが、図７に示すように、リール本体１の第１側カバー１３に配置する構成にしてもよい。また、情報通信部４４は、第２側カバー１４から露出するように設けられていたが、第２側カバー１４の内部に収納してもよいし、第２側カバー１４に対して着脱自在な構成にしてもよい。さらに、情報通信部４４は、合成樹脂製のケース部材で覆われていたが、これに限定されるものではなく、たとえば指向性を有する金属製の伸縮回転可能なアンテナであってもよい。
【００６５】
（ｄ）  前記実施形態では、情報通信部４４の無線方式は、ＵＷＢ（超広帯域無線）を用いたが、これに限定されるものではなく、Ｂｌｕｅｔｏｏｔｈや、特定小電力規格の無線や、赤外線通信等の他の無線方式を用いてもよい。また、情報通信部４４は、送受信の両方の通信を行っていたが、送信のみ行うようにしてもよい。なお、この場合、釣り情報表示装置６０の情報通信部６６を受信のみ行うようにしてもよい。
【００６６】
（ｅ）  前記実施形態では、釣り用リール１００には、情報通信部４４をオン、オフするスイッチ操作部４７が第２側カバー１４上部に設けられていたが、第２側カバー１４の側部や、第１側カバー１３側に設けてもよい。また、スイッチ操作部４７を釣り用リール１００に設けず、釣り情報表示装置６０のスイッチ操作部６４が情報通信部４４をオン、オフするようにしてもよいし、釣り用リール１００及び釣り情報表示装置６０の両方に設ける構成にしてもよい。また、スイッチ操作部４７は押圧式のトグルスイッチに限定されず、たとえば防水構造を有するスライド式のスイッチであってもよい。
【００６７】
（ｆ）  前記実施形態では、釣り情報表示装置６０の情報通信部６６に給電する蓄電池等のバッテリ６２が本体部材６１の内部に設けられていたが、これに限定されるものではなく、たとえば本体部材６１の内部にボタン電池を交換可能に装着したり、本体部材６１の外部に太陽電池等を取り付けて給電するようにしてもよい。また、図８に示すように、本体部材６１の外部に設けられたバッテリ８０からコード２０を接続して給電するようにしてもよい。
【００６８】
（ｇ）  前記実施形態では、情報通信部６６は、本体部材６１の上部に配置されていたが、これに限定されるものではない。また、情報通信部６６は、指向性を有する金属製の伸縮回転可能なアンテナに限定されず、合成樹脂製のケース部材で覆う構成にしてもよい。さらに、情報通信部６６の無線方式は、ＵＷＢ（超広帯域無線）を用いたが、これに限定されるものではなく、Ｂｌｕｅｔｏｏｔｈや、特定小電力規格の無線や、赤外線通信等の他の無線方式を用いてもよい。また、前記実施形態では、釣り用リール１００の情報通信部４４と魚群探知機９０の情報通信部９１とで無線方式を共通化していたが、それぞれ異なる無線方式にしてもよい。
【００６９】
（ｈ）  前記実施形態では、釣り用リール１００の情報通信部４４は、仕掛けの水深情報を無線通信により出力していたが、出力される情報はこれに限定されるものではなく、たとえばドラグ機構からの発熱を検出する温度センサから得られる温度情報を出力してもよい。このような温度センサは、たとえばドラグ機構に直接的またはドラグ機構近傍のリール本体１にドラグ機構から離反して設けられるものであり、ドラグの温度情報を数値にて計測可能である。ドラグの温度情報は、リール制御部４３を介して情報通信部４４によって、釣り情報表示装置６０の情報通信部６６に送信可能である。そして、情報通信部６６が受信したドラグの温度情報をモニタ制御部６３を介して表示部６５に表示させる。また、ドラグの温度情報が所定の温度範囲以上になったとき、表示部６５に警告表示をしたり、警報音としてブザー６７を発音させるようにしてもよい。ここでは、ドラグ機構からの発熱を検出する温度計測手段を設けることにより、ドラグ機構やドラグ機構から熱伝導したリール本体の温度をリールに触れることなく把握することができる。
【００７０】
（ｉ）  前記実施形態では、釣り情報表示装置６０には、各種の警報音や操作音を発生させるブザー６７が設けられていたが、魚等がヒットしたときにブザー６７を発音させるようにしてもよい。たとえば釣り用リール１００に魚がヒットしたか否かを検出する振動センサを設け、魚等がヒットしたときのヒット情報を釣り用リール１００の情報通信部４４から釣り情報表示装置６０の情報通信部６６へ送信する。そして、釣り情報表示装置６０の情報通信部６６が、釣り用リール１００の情報通信部４４からヒット情報を受信すると、モニタ制御部６３を介して、ブザー６７を所定の音を発音させる。なお、ブザー６７の音は、単一のクリック音や、長音のブザー音や、メロディ音等任意に設定できる。また、複数の釣り用リール１００が接続されている場合は、ブザー６７の音量や種類を異なるように設定することにより、どの釣り用リール１００がヒットしたか識別することができる。一方、釣り情報表示装置６０の情報通信部６６が、釣り用リール１００の情報通信部４４からヒット情報を受信する構成である場合、ヒット情報をブザー６７で報知するだけでなく、ヒット情報を表示部６５に表示させたり、ヒット情報を記憶部６８に保持させるようにしてもよい。なお、ヒット情報は、魚等がヒットした日時や、魚等がヒットするまでの時間や、ラインの投出及び巻き取り時の時間等の各種の情報に拡張してもよい。
【００７１】
（ｊ）  前記実施形態では、釣り情報表示装置６０の情報通信部６６は、釣り情報表示装置６０の本体部材６１上部に設けられていたが、図８に示すように、釣り情報表示装置６０とバッテリ８０とを接続するコード２０の途中に分岐した先端部分に情報通信部６６の送受信部を設ける構成にしてもよい。また、情報通信部６６をコード２０に対して着脱可能である場合、コード２０の途中に分岐した先端部分に他の釣り用リールを有線で接続できるようにしてもよい。なお、コード２０は、バッテリ８０から釣り情報表示装置６０へ給電するための電力線と、分岐した先端部分の情報通信部６６と本体部材６１内部の図示しないモニタ制御部とを接続する通信線とを有する構成になっている。
【００７２】
（ｋ）  前記実施形態では、仕掛けの水深情報を演算する水深演算処理は、釣り用リール１００のリール制御部４３で行っていたが、釣り情報表示装置６０のモニタ制御部６３や、釣り用リール１００及び釣り情報表示装置６０の外部、たとえば他の実施形態（ｊ）のコード２０に設けられた制御部で水深演算処理を行うようにしてもよい。また、釣り用リール１００の情報通信部４４から送信される仕掛けの水深情報は、スプールカウンタ４２の計数値そのものであって、モニタ制御部６３や釣り用リール１００及び釣り情報表示装置６０の外部の制御部において、仕掛けの水深情報を演算するようにしてもよい。
【図面の簡単な説明】
【００７３】
【図１】本発明の一実施形態を採用した釣り用リールの斜視図。
【図２】前記釣り用リールの断面図。
【図３】前記釣り用リールの側面図。
【図４】前記釣り用リール及び釣り情報表示装置の制御ブロック図。
【図５】前記釣り情報表示装置の平面図。
【図６】前記釣り情報表示装置の表示部の画面を示す図。
【図７】他の実施形態の図１に相当する図。
【図８】他の実施形態の釣り用リール及び釣り情報表示装置の斜視図。
【符号の説明】
【００７４】
１  リール本体
１５  スプール
４１  スプールセンサ
４２  スプールカウンタ
４３  リール制御部
４４  情報通信部
４６  バッテリ
４７  スイッチ操作部
４８  記憶部
２０  コード
６０  釣り情報表示装置
６１  本体部材
６２  バッテリ
６３  モニタ制御部
６４  スイッチ操作部
６５  表示部
６６  情報通信部
６７  ブザー
６８  記憶部
９０  魚群探知機
９１  情報通信部
９２  魚探制御部
１００  釣り用リール
【図１】
2005218312.tif 000003
【図２】
2005218312.tif 000004
【図３】
2005218312.tif 000005
【図４】
2005218312.tif 000006
【図５】
2005218312.tif 000007
【図６】
2005218312.tif 000008
【図７】
2005218312.tif 000009
【図８】
2005218312.tif 000010